(57)【要約】【課題】  曇天時等に発電出力が低下する太陽電池を安定した電源として活用できるようにする。【解決手段】  太陽電池１の出力は、ＤＣ−ＤＣコンバータ５で降圧して利用される。バッテリ２はコンバータ５の出力で充電され、バッテリ２が充電されるとコンバータ５は一旦停止され、バッテリ２のみの電力が低圧インバータ回路６に供給される。バッテリ２による電力供給開始と共にコンバータ５の出力電圧を上昇させてコンバータ５からの電力供給分を増大させる。コンバータ５の電力を増大しているときに太陽電池１の能力を判断し、能力が低下しているときはコンバータ５の出力電圧を低下させてバッテリ２からの電力供給分を相対的に増大させる。【選択図】        図１
2006288002.tif 000002
【特許請求の範囲】
【請求項１】
太陽電池と、この太陽電池の出力を制御するＤＣ−ＤＣコンバータと、このＤＣ−ＤＣコンバータの出力で充電されるバッテリと、前記ＤＣ−ＤＣコンバータの出力および前記バッテリの出力が並列で入力されるインバータとを有する電源装置において、
前記バッテリの残容量が予定容量以下のときに前記ＤＣ−ＤＣコンバータの出力で該バッテリが充電されるように構成し、
前記太陽電池の出力電力が予定値を超えたときは、前記ＤＣ−ＤＣコンバータの出力を前記インバータに供給し、
前記太陽電池の出力電力が予定値以下のときには、前記ＤＣ−ＤＣコンバータの出力を前記インバータに供給せずに前記バッテリの充電に充て、
前記バッテリが予定容量まで充電されたときに該バッテリから前記インバータへ電力供給を開始するように構成したことを特徴とする電源装置。
【請求項２】
前記太陽電池からインバータへの電力供給開始時に、前記ＤＣ−ＤＣコンバータの出力電圧を前記バッテリの電圧値より低い値から前記バッテリの出力電圧がゼロになるまで徐々に上昇させる手段を具備したことを特徴とする請求項１記載の電源装置。
【請求項３】
前記インバータへの供給電力が予め設定した値のときに、前記ＤＣ−ＤＣコンバータのスイッチングデューティが予め設定した値以上になったことによって前記太陽電池の出力電力が予定値以下であると判断して、前記ＤＣ−ＤＣコンバータの動作を停止させるようにしたことを特徴とする請求項１記載の電源装置。
【請求項４】
前記バッテリの残容量が予定容量以下になったときに該バッテリから前記インバータへの電力供給を停止するようにしたことを特徴とする請求項３記載の電源装置。
【請求項５】
発電機を備えており、
前記ＤＣ−ＤＣコンバータが降圧型であり、
前記バッテリ電圧を昇圧して該インバータに入力する昇圧コンバータと、前記発電機の出力を整流して前記インバータに供給する整流回路とが並列に接続されていることを特徴とする請求項１記載の電源装置。
【請求項６】
太陽電池と、この太陽電池の出力を制御するＤＣ−ＤＣコンバータと、このＤＣ−ＤＣコンバータの出力で充電されるバッテリと、前記ＤＣ−ＤＣコンバータの出力および前記バッテリの出力が並列で入力されるインバータとを備えた電源装置の制御方法において、
前記太陽電池の出力電力が予定値を超える状態では、前記ＤＣ−ＤＣコンバータの出力電圧を前記バッテリの電圧よりも高くし、
前記太陽電池の出力電力が予定値以下のときは前記ＤＣ−ＤＣコンバータの出力電圧を前記バッテリの電圧よりも低下させるかＤＣ−ＤＣコンバータを動作停止させ、
前記バッテリの残容量が予定容量に不足する場合は、前記ＤＣ−ＤＣコンバータの出力を前記インバータに供給せずに前記バッテリの充電に充て、前記バッテリの残容量が予定容量以上となった状態で前記ＤＣ−ＤＣコンバータの出力電圧を前記バッテリの電圧よりも低下させるかＤＣ−ＤＣコンバータを動作停止させることを特徴とする電源装置の制御方法。
【発明の詳細な説明】
【技術分野】
【０００１】
本発明は、電源装置およびその制御方法に関し、特に、エンジン駆動式発電機のような電源と太陽電池とを組み合わせて、その発電出力を取り出すことができるようにした電源装置およびその制御方法に関する。
【背景技術】
【０００２】
エンジン駆動式発電機等の小規模な発電装置は、携帯用電源装置や非常用電源装置としてさまざまな用途に普及している。この種の電源装置を、家庭用コジェネレーション装置のような小規模発電装置として利用する場合、商用電源と系統連系させたり、太陽電池を併設したりすることによりエネルギの総合的な有効利用を図ることが可能になる。
【０００３】
例えば、特開平８−１８６９２７号公報には、商用電源（系統）の出力と、太陽光発電装置（太陽電池）の出力と、燃料を使用する発電装置（発電機）の出力とを連系接続した電源システムが開示されている。
【特許文献１】特開平８−１８６９２７号公報
【発明の開示】
【発明が解決しようとする課題】
【０００４】
上述の特許文献に記載された電源システムでは、太陽電池出力と発電機出力、あるいは太陽電池出力と系統出力とを連系接続させることから、太陽電池の出力電圧を高めに設定せざるを得ない。しかし、家庭用の小規模な太陽電池発電では曇天時には、高電圧出力を得ることができないので、太陽電池の発電電力を十分に活用しにくいという問題がある。
【０００５】
また、曇天時等、太陽電池の発電出力が小さいときに、この発電出力を負荷へ供給したとしてもあまり有効な電力源とならず、むしろ電力源が安定しないために、系統連系出力を開始したり停止したりする動作を繰り返すことになる等、制御が不安定になり易い。
【０００６】
本発明の目的は、曇天時等、出力電圧があまり高くない状態でも発電電力を有効に活用できる電源装置およびその制御方法を提供することにある。
【課題を解決するための手段】
【０００７】
本発明は、太陽電池の出力を制御するＤＣ−ＤＣコンバータと、このＤＣ−ＤＣコンバータの出力で充電されるバッテリと、前記ＤＣ−ＤＣコンバータの出力および前記バッテリの出力が並列で入力されるインバータとを有する電源装置において、
【０００８】
前記バッテリの残容量が予定容量以下のときに前記ＤＣ−ＤＣコンバータの出力で該バッテリが充電されるように構成し、
【０００９】
前記太陽電池の出力電力が予定値を超えたときは、前記ＤＣ−ＤＣコンバータの出力を前記インバータに供給し、
【００１０】
前記太陽電池の出力電力が予定値以下のときには、前記ＤＣ−ＤＣコンバータの出力を前記インバータに供給せずに前記バッテリの充電に充て、
【００１１】
前記バッテリが予定容量まで充電されたときに該バッテリから前記インバータへ電力供給を開始するように構成した点に第１の特徴がある。
【００１２】
また、本発明は、太陽電池からインバータへの電力供給開始時に、前記ＤＣ−ＤＣコンバータの出力電圧を前記バッテリの電圧値より低い値から前記バッテリの出力電圧がゼロになるまで徐々に上昇させる手段を具備した点に第２の特徴がる。
【００１３】
また、本発明は、前記インバータへの供給電力が予め設定した値のときに、前記ＤＣ−ＤＣコンバータのスイッチングデューティが予め設定した値以上になったことによって前記太陽電池の出力電力が予定値以下であると判断して、前記ＤＣ−ＤＣコンバータの動作を停止させるようにした点に第３の特徴がある。
【００１４】
また、本発明は、前記バッテリの残容量が予定容量以下になったときに該バッテリから前記インバータへの電力供給を停止するようにした点に第４の特徴がある。
【００１５】
さらに、本発明は、電源としてさらなる発電機を加えるとともに、前記ＤＣ−ＤＣコンバータを降圧型とし、前記バッテリ電圧を昇圧して該インバータに入力する昇圧コンバータと、前記発電機の出力を整流して前記インバータに供給する整流回路とを並列接続した点に第５の特徴がある。
【００１６】
また、さらに本発明は、太陽電池と、太陽電池の出力を制御するＤＣ−ＤＣコンバータと、ＤＣ−ＤＣコンバータの出力で充電されるバッテリと、ＤＣ−ＤＣコンバータの出力およびバッテリの出力が並列で入力されるインバータとを備えた電源装置の制御方法において、前記太陽電池の出力電力が予定値を超える状態では、前記ＤＣ−ＤＣコンバータの出力電圧を前記バッテリの電圧よりも高くし、
【００１７】
前記太陽電池の出力電力が予定値以下のときは前記ＤＣ−ＤＣコンバータの出力電圧を前記バッテリの電圧よりも低下させるかＤＣ−ＤＣコンバータを動作停止させ、前記バッテリの残容量が予定容量に不足する場合は、前記ＤＣ−ＤＣコンバータの出力を前記インバータに供給せずに前記バッテリの充電に充て、前記バッテリの残容量が予定容量以上となった状態で前記ＤＣ−ＤＣコンバータの出力電圧を前記バッテリの電圧よりも低下させるかＤＣ−ＤＣコンバータを動作停止させる点に第６の特徴がある。
【発明の効果】
【００１８】
第１の特徴を有する本発明によれば、バッテリの残容量が少ないときには、まず、バッテリが予定容量まで充電される。そして、太陽電池の出力電力が小さいときはバッテリからインバータへ電力供給を行い、太陽電池の出力電力が大きいときはバッテリによる電力供給に代えて太陽電池からインバータへ電力が供給される。したがって、曇天時等、太陽電池の出力が小さい場合には、安定した電力源であるバッテリからの電力が利用され、バッテリの残容量が低下したときには太陽電池の出力でバッテリは充電される。晴天時は太陽電池の出力電力が大きく所定電力量を安定に確保できるので、その出力はインバータを通じて交流に変換されて利用される。こうして、バッテリに充電された電力や晴天時の十分大きな電力を利用できるので安定した電力源を確保できる。
【００１９】
第２の特徴によれば、太陽電池の出力をＤＣ−ＤＣコンバータで制御することによって、インバータへの電力供給をバッテリのみからの供給状態から太陽電池出力へ、急激な出力変化を伴わずに切り替えることができる。
【００２０】
第３の特徴によれば、ＤＣ−ＤＣコンバータのスイッチングデューティが予め設定した値以上になったことにより曇天等で太陽電池の出力電力が十分でないことを判断して、バッテリからの電力供給に切り替えられるので、安定した電力供給が可能である。
【００２１】
第４の特徴によれば、バッテリの残容量が少なくなったときにバッテリから前記インバータへの電力供給を停止して不安定な電力供給を回避できる。そして、このバッテリからの出力停止中に、小出力状態となっている太陽電池の出力を有効活用してバッテリを充電できる。
【００２２】
第５の特徴によれば、太陽電池の出力を低電圧であるバッテリ電圧まで降圧して使用するので、太陽電池を、その出力があまり高くない状態でもバッテリを充電するために活用することができる。また、低圧仕様のバッテリを介して太陽電池の出力を利用できるので、低コスト化にも貢献できる。
【００２３】
第６の特徴によれば、太陽電池の出力が大きいときには、太陽電池の安定した電力を供給することができる。また、太陽電池の出力電力が小さいときにはその出力はバッテリ充電にのみ振り向けられ、バッテリの残容量が十分ある場合にはＤＣ−ＤＣコンバータからの供給を停止させて、バッテリの安定した電力をインバータへ供給できる。
【発明を実施するための最良の形態】
【００２４】
以下に図面を参照して本発明の一実施形態を詳細に説明する。図１は太陽電池の出力とエンジン発電機の出力とを商用電力系統に連系させた電源装置の構成を示すブロック図である。図１に示した電源装置は、太陽電池１とバッテリ２とエンジン発電機３とを電源として備える。バッテリ２は太陽電池１の出力で充電することができる。バッテリ２は定格電圧１２ボルト、満充電電圧１４．５ボルトのものとして以下の説明をする。エンジン発電機３は、都市ガスを燃料とするガス内燃機関で駆動される３相の多極磁石式発電機である。太陽電池１、バッテリ２、およびエンジン発電機３の出力は合体させた状態で系統電源４と連系される。なお、エンジン発電機３の駆動源はガス内燃機関に限らず、ガソリン等、他の燃料を使用する種類の機関であってもよい。
【００２５】
電源装置は、低電圧領域１００を構成する要素と、高電圧領域２００を構成する要素とからなる。低電圧領域１００には、太陽電池１、バッテリ２、ＤＣ−ＤＣコンバータ５、および低圧インバータ回路６が含まれる。一方、高電圧領域２００には、エンジン発電機３、直流平滑回路８，９、昇圧コンバータ１０、高圧インバータ回路１１が含まれる。高圧インバータ回路１１はＬＣフィルタ回路を含むことができる。高圧インバータ回路１１の出力は系統電源４に接続される。
【００２６】
低電圧領域１００と高電圧領域２００とは、低圧インバータ回路６と直流平滑回路８との間に設けられた絶縁トランス昇圧回路７によって結合される。
【００２７】
ＤＣ−ＤＣコンバータ５は非絶縁降圧チョッパからなり、昇圧コンバータ１０は非絶縁昇圧チョッパからなる。ＤＣ−ＤＣコンバータ５はチョッパを構成するＦＥＴ等のスイッチング素子のデューティ（オン時間比率）を制御することにより入力電圧を降圧して出力する。昇圧コンバータ１０は、チョッパを構成するＦＥＴ等のスイッチング素子のデューティを制御することにより入力電圧を昇圧して出力する。低圧インバータ回路６は入力を矩形波交流に変換する回路であり、ＦＥＴ等のスイッチング素子でブリッジを構成している。高圧インバータ回路１１は、入力を系統連系に適合する単相交流に変換する回路であり、ＦＥＴ等のスイッチング素子をブリッジ接続してなる。ＦＥＴのデューティを制御するＦＥＴドライブ回路は周知のものを使用できる。
【００２８】
太陽電池１の出力電圧Ｖ１はＤＣ−ＤＣコンバータ５で降圧されて電圧Ｖ５となり、ダイオードＤ１を介してバッテリ２に印加される。降圧された太陽電池１の電圧Ｖ５とバッテリ２の電圧Ｖ２は一体に整合された状態（Ｖ５＝Ｖ２）で低圧インバータ回路６に印加されて、矩形波交流に変換される。この矩形波交流はさらに絶縁トランス昇圧回路７で昇圧されて高圧矩形波交流となり、直流平滑回路８に入力される。低圧インバータ回路６と絶縁トランス昇圧回路７とで、バッテリ電圧の昇圧回路を形成する。直流平滑回路８は、入力された高圧矩形波交流を整流・平滑化して直流電圧を出力する。
【００２９】
エンジン発電機３から出力される三相交流は、直流平滑回路９で整流・平滑化される。直流平滑回路９から出力される電力Ｐ３は直流平滑回路８から出力される電力と合体されて、その電圧（発電機直流電圧）Ｖ８が昇圧コンバータ１０に入力される。昇圧コンバータ１０で昇圧された電圧（連系直流電圧）Ｖ８は高圧インバータ回路１１に入力されて系統連系交流電圧Ｖｏｕｔの単相交流に変換され、ＬＣフィルタ回路でノイズ除去されて系統電源４に連系される。
【００３０】
昇圧コンバータ１０は、発電機３の出力や太陽電池１およびバッテリ２の出力変動を抑制し、かつ系統連系交流電圧Ｖｏｕｔを維持するのに必要な連系直流電圧Ｖ１０を出力するようにデューティが設定される。高圧インバータ回路１１は、系統電源４と同じ品質（電圧、周波数、ノイズ等に関して）の系統連系交流を形成し、系統電源４の位相と同期をとって連系させる系統連系機能を有する。つまり高圧インバータ回路１１は系統連系制御部を構成する。系統連系機能を有する装置の一例は特公平４−１０３０２号公報に開示されている。
【００３１】
太陽電池１の出力電力が小さいときには、太陽電池１の出力電力をバッテリ２の充電のみに振り向ける。そして、バッテリ電圧Ｖ２が所定値、例えば、定格出力電圧に相当する電圧値Ｖｒｅｆ以上になったときにはバッテリ２から低圧インバータ回路６への電力供給が行われる。
【００３２】
上記電源装置の動作をフローチャートとともに説明する。電源装置が初期状態では、ＤＣ−ＤＣコンバータ５、低圧インバータ回路６、発電機３、昇圧コンバータ１０、および高圧インバータ回路１１は動作を停止している。したがって、系統電源４に対して電力は出力されない。
【００３３】
図２は、電源装置の動作を示すフローチャート（その１）である。ここでは、バッテリ２による系統連系出力の発電を説明する。ステップＳ１では、太陽電池１の出力電圧Ｖ１がバッテリ２の電圧（バッテリ電圧）Ｖ２より高いかどうかを判断する。太陽電池１の出力電圧がバッテリ電圧Ｖ２より高ければ、ステップＳ２に進んでＤＣ−ＤＣコンバータ５の動作を開始させる。ＤＣ−ＤＣコンバータ５は、その出力電圧Ｖ５がバッテリ電圧Ｖ２より高く維持されるようにデューティ制御される。この出力電圧Ｖ５によってバッテリ２は充電される。
【００３４】
ステップＳ３では、バッテリ２に供給される電力Ｐ２’がバッテリ２の所定電力Ｐｃｈ以下であるかを判断する。バッテリ２が満充電になると充電電力Ｐ２’は低下するので、ステップＳ３で満充電か否かの判断をすることができる。しかし、さらにステップＳ４でも確実のために満充電の判断が行われる。ステップＳ４では、バッテリ電圧Ｖ２が満充電電圧値Ｖｆ（１４．５ボルト）以上であるかどうかを判断する。ステップＳ３およびステップＳ４がいずれも肯定であれば、バッテリ２は満充電と判断し、ステップＳ５に進んでＤＣ−ＤＣコンバータ５の動作を停止させる（デューティをゼロにする）。つまりバッテリ２の充電は一旦停止する。
【００３５】
ステップＳ６では、低圧インバータ回路６を駆動する。低圧インバータ回路６は、絶縁トランス昇圧回路７での昇圧量を考慮し、発電機直流電圧Ｖ８が予め設定した電圧となるようにデューティ制御される。ステップＳ７では、昇圧コンバータ１０および高圧インバータ回路１１を駆動開始し、系統電源４に連系させる電力Ｐｏｕｔを出力させる。第１段階の系統連系出力Ｐｏｕｔの設定値は、５０ワットとする。ここでは、ＤＣ−ＤＣコンバータ５は停止しているし、発電機３も始動していないので、バッテリ２からのみの発電出力が系統電源４に連系される。
【００３６】
図３は、電源装置の動作を示すフローチャート（その２）である。ここでは、太陽電池１による系統連系出力の発電を図３に続けて説明する。ステップＳ８では、ＤＣ−ＤＣコンバータ５を駆動する。このとき、まずＤＣ−ＤＣコンバータ５の出力電圧Ｖ５がバッテリ電圧Ｖ２以下になるようにデューティ制御を行う。そして、ステップＳ９では、出力電圧Ｖ５を徐々に（予め設定した分）上昇させる。ＤＣ−ＤＣコンバータ５のデューティを段階的に上げていくことで、出力電圧Ｖ５を徐々に上昇させることができる。
【００３７】
ＤＣ−ＤＣコンバータ５の出力電圧Ｖ５がバッテリ電圧Ｖ２（＋ダイオードＤ１の順電圧）より低い領域では太陽電池１の出力電力Ｐ１は低圧インバータ回路６に入力されないので、低圧インバータ回路６には太陽電池１の出力電力Ｐ１は供給されず、バッテリ２からの電力Ｐ２だけが供給される。
【００３８】
ステップＳ１０では、バッテリ２から低圧インバータ回路６に供給される電力Ｐ２が設定電力値（好ましくはゼロ）になったかどうかを判断する。ＤＣ−ＤＣコンバータ５の出力電圧Ｖ５がバッテリ電圧Ｖ２以上に上昇したならば、バッテリ２に代わり、ＤＣ−ＤＣコンバータ５の出力電力Ｐ１が低圧インバータ回路６に供給されるようになり、バッテリ２からの電力供給は停止される。そこで、ステップＳ１０が肯定ならば、出力電圧Ｖ５が十分に上昇したと判断されるので、ステップＳ１１に進んでＤＣ−ＤＣコンバータ５の出力電圧Ｖ５の上昇を停止させる。ステップＳ１２では、系統連系出力Ｐｏｕｔの設定を１段階上昇させる。この例では１段階は５０ワットとしているので系統連系出力Ｐｏｕｔの設定値は１００ワットに変更される。
【００３９】
晴天時ならば、ＤＣ−ＤＣコンバータ５の出力電圧Ｖ５は高いまま維持されるので、バッテリ２の電力Ｐ２はゼロのままであり、ＤＣ−ＤＣコンバータ５から低圧インバータ回路６に供給される電力Ｐ１だけが増加する。つまり晴天時はバッテリ２の充電電力は使用されない。このときには、系統電源に連系させる電力設定値電力Ｐｏｕｔの設定値を更に上昇させることができる。
【００４０】
曇天時等（晴天でない場合）、太陽電池１の大きい出力が得られない時は、ＤＣ−ＤＣコンバータ５は、所定の出力電圧Ｖ５を維持するためにデューティが大きくなるように運転することになる。
【００４１】
ステップＳ１３では、系統連系出力Ｐｏｕｔの設定値が所定値（例えば、１００ワット）以下かどうかを判断する。系統連系出力Ｐｏｕｔの設定値が１００ワット以下のときはさらにステップＳ１４でＤＣ−ＤＣコンバータ５のデューティが所定値（１００％）に達しているかどうかが判断される。ステップＳ１３およびステップＳ１４の双方が肯定ならば、１００ワットの出力を得るには十分でない曇天時等と判断される。肯定でない場合は、この状態のままで太陽電池１からの電力供給が継続される。
【００４２】
天気が曇天時等と判断されたら、ＤＣ−ＤＣコンバータ５の出力電圧Ｖ５を低減させるため、ステップＳ１５に進んでＤＣ−ＤＣコンバータ５のデューティをゼロまで徐々に低下させる。ＤＣ−ＤＣコンバータ５のデューティが低下して出力電圧がバッテリ２の電圧以下に低下すると、バッテリ２のみから系統連系出力が供給される。したがって、バッテリ２の残容量が徐々に低下する。ステップＳ１６では、バッテリ２の残容量が所定値（例えば、６０％）に低下したかどうかが判断される。ステップＳ１６の判断が否定であるうちは、バッテリ２からの電力供給が継続される。ステップＳ１６の判断が肯定ならば、低圧インバータ回路６、昇圧コンバータ１０、および高圧インバータ回路１１をいずれも停止してバッテリ２からの電力供給は停止する（ステップＳ１７）。バッテリ２の残容量が６０％未満の状態は、初期状態と同じであるので、図２のステップＳ１に戻ってバッテリ２の充電の処理を開始する。
【００４３】
図２，図３の処理はエンジン発電機３を運転していない場合のものである。エンジン発電機３を運転した場合は、発電機３の出力電力Ｐ３が、太陽電池１とバッテリ２からの電力に加わるので、系統連系出力の設定値に、電力Ｐ３を上乗せして制御を行う。つまり、電力Ｐ３の上乗せ分を考慮して系統連系出力Ｐｏｕｔの設定値を設定したり、ステップＳ１５等での判断を行えばよい。例えば、エンジン発電機３の出力電力Ｐ３が１キロワットであったとすれば、ステップＳ１５での判断では、系統連系出力Ｐｏｕｔの設定値を、１００ワットに代えて１．１キロワットとして行う。
【００４４】
図４は、本実施形態の要部機能を示すブロック図である。図４において、太陽電池能力判定部１３は、太陽電池１が十分に大きい出力を発生しているかどうかを判定する。コンバータ駆動部１４は、ＤＣ−ＤＣコンバータ５のデューティ制御を行う。残容量検出部１５は、バッテリ２の残容量（出力電圧で代表）を検出する。インバータ駆動部１６は、低圧インバータ回路６のスイッチング素子の切り替え制御をする。バッテリ電力検出部１７は、バッテリ２の出力電力を監視する。なお、図４では、説明の簡単のため、高電圧領域２００の機能は省略してある。
【００４５】
残容量検出部１５は、バッテリ２の残容量が予定値以下であれば、ＤＣ−ＤＣコンバータ５を駆動してバッテリ２の充電電圧を発生させる。インバータ駆動部１６は、バッテリ２が充電されるまで低圧インバータ回路６の動作を停止させている。バッテリ２が充電されると、インバータ駆動部１６は低圧インバータ回路６を動作開始させる。低圧インバータ回路６の動作開始後、コンバータ駆動部１４はＤＣ−ＤＣコンバータ５の出力電圧を上昇させるようにデューティ制御を行う。
【００４６】
バッテリ電力検出部１７は、バッテリ２の出力電力がゼロになったときに、ＤＣ−ＤＣコンバータ５の出力電圧上昇を停止させる。太陽電池能力判定部１３はＤＣ−ＤＣコンバータ５のデューティを検出して、デューティが１００％であれば、太陽電池１の発電状態は現在の出力要求に対して十分でないと判定し、ＤＣ−ＤＣコンバータ５のスイッチングデューティを低下させて、その出力電圧を低下させる。ＤＣ−ＤＣコンバータ５の出力電圧がバッテリ電圧に対して低くなると、バッテリ２からのみ低圧インバータ回路６に電力が供給される。そして、バッテリ２の残容量が低下すれば、低圧インバータ回路６は停止され、ＤＣ−ＤＣコンバータ５はバッテリ２の充電のための出力を発生する。
【図面の簡単な説明】
【００４７】
【図１】本発明の一実施形態に係る電源装置の構成を示すブロック図である。
【図２】本発明の一実施形態に係る電源装置の動作を示すフローチャート（その１）である。
【図３】本発明の一実施形態に係る電源装置の動作を示すフローチャート（その２）である。
【図４】本発明の一実施形態に係る電源装置の要部制御機能を示すブロック図である。
【符号の説明】
【００４８】
１…太陽電池、  ２…バッテリ、  ３…発電機、  ４…系統電源、  ５…ＤＣ−ＤＣコンバータ、  ６…低圧インバータ回路、  ７…絶縁トランス昇圧回路、  １０…昇圧コンバータ、  １１…高圧インバータ回路、  １３…太陽電池電力検出部、  １５…バッテリ残容量検出部、  １７…バッテリ電力検出部
【図１】
2006288002.tif 000003
【図２】
2006288002.tif 000004
【図３】
2006288002.tif 000005
【図４】
2006288002.tif 000006